(57)【特許請求の範囲】
【請求項１】
耳輪に沿う湾曲形状を有するシート体と、
耳輪又は耳垂の裏面の少なくとも一部に装着される保持部材と、
耳輪又は耳垂の所望の位置で、前記シート体と前記保持部材とを連結する連結部とを備え、
前記連結部は、前記シート体の上方前端部に、又は、前記耳輪の頂部に相当する位置近傍に設けられ、前記保持部材が耳介または耳輪の裏面の一部に貼り付ける第２のシート体であることを特徴とする、
前記シート体において耳の装飾品の装飾を可能とする耳装飾用台座。
【請求項２】
前記シート体及び前記第２のシート体はエラストマーにより形成されるものであることを特徴とする請求項１に記載の耳装飾用台座。
【発明の詳細な説明】
【技術分野】
【０００１】
本発明は、装飾物を耳に固定するための台座となる耳に装着する基材に関する。
【背景技術】
【０００２】
本願の出願人は下記特許文献１において、耳にビーズなどの装飾品を貼り付けるための台座となる耳垂から耳輪に至る粘着シートを提案している。また、下記特許文献２には台座となるシートに装飾品を貼り付けた粘着シートが示されている。
【先行技術文献】
【特許文献】
【０００３】
【特許文献１】特許第４５２８８７５号公報
【特許文献２】特開２００１−３７５１１号公報
【発明の概要】
【発明が解決しようとする課題】
【０００４】
ところで、このような耳に貼り付ける基材であるシート体が耳輪に長い範囲で沿うような形状である場合、装飾物や基材自体の重みで上側から剥がれてくることが多くある。また、これを防ぐために粘着材を強くすると皮膚によくない影響を与えることになる。
本発明は、このような問題に鑑み、シート体のみならず、装飾物を耳に貼り付けるための台座となる基材を特に耳輪の上側から下側にかけて装着する場合に、上方から剥がれにくくすることを課題とする。
【課題を解決するための手段】
【０００５】
上記問題を解決するために、本発明は次のような構成を有する。
本発明は、耳輪の少なくとも一部に沿う湾曲形状を有する基材と、耳介または耳輪の裏面の少なくとも一部に装着される保持部材と、基材と保持部材との間を基材の上方前端部または耳輪の頂部に相当する位置近傍において連結する連結部とを備え、基材において耳の装飾品の装着を可能とする耳装飾用台座である。なお、基材は耳輪に貼りついた状態において顔側を前、後頭部側を後ろとする。【０００６】
保持部材は、連結部を介して基材の上方前端部に連結される耳介の裏側に引っ掛ける形状を有するフックであるとよい。基材は、耳輪から耳垂までに沿う形状を有する。また、基材の耳垂に対応する位置には複数の貫通孔が設けられるとよい。【０００７】
基材は、耳輪に装着されるシート体であることを特徴とする。シート体のフック側の面は粘着層が形成されるとともに、粘着層に対して剥離容易に形成された剥離シートが当該粘着層に貼り付けられているとよい。湾曲したシート体の外縁及び／又は内縁に、少なくとも１以上の切れ込みが設けられるが、切れ込みはＶ字状の形状であるとよい。また、シート体の耳輪頂部に沿う位置近傍に、耳輪に引っ掛ける形状を有する補助フックが設けられてもよい。シート体はエラストマーにより形成されると好適である。【０００８】
また、連結部がシート体の上方前端部に設けられ、保持部材が耳介または耳輪の裏面の一部に貼り付ける第２のシート体であってもよいし、又は、連結部が耳輪の頂部に相当する位置近傍に設けられ、保持部材が耳介または耳輪の裏面の一部に貼り付ける第２のシート体であってもよい。このようなシート体及び第２のシート体もエラストマーにより形成されると好適である。【０００９】
基材は、耳輪に装着される板状体であることを特徴とする。連結部が板状体の耳のつけ根上方から頂部にかけての所望の位置に設けられ、保持部材が耳介または耳輪の裏面の一部に装着する第２の板状体であってもよい。また、連結部が耳輪の頂部に相当する位置近傍に設けられ、保持部材が耳介または耳輪の裏面の一部に装着する第２の板状体であってもよいし、又は、板状体は、耳輪中央で上下に分割され、上部の板状体の所定の下方側部は曲折し環状筒のガイドを形成し、下部の板状体の上縁部はガイドの開口部に対向する位置に棒状の摺動部を備え、上部の板状体と下部の板状体は互いに摺動して板状体の大きさを変えるようにしてもよい。なお、板状体は金属又はプラスチック等の合成樹脂により形成されると好適である。また、保持部材として、基材の裏面の耳垂に対向する位置には複数のピアスピンが設けられるものであってもよい。【００１０】
基材は、耳輪に装着される線状体であることを特徴とする。線状体は、耳輪中央で上下に分割され、分割された前記線状体は互いに摺動して線状体の大きさを変えることができるようにしてもよい。例えば、線状体において、上部の線状体の先端は曲折して下部の線状体の径よりもやや大きな径の略Ｏ形状部を形成し、その略Ｏ形状部に挿通した下部の線状体は挿通した側の先端が曲折して上部の線状体の周縁を把持するように略Ｃ形状部を形成することにより、下部の線状体は上部の線状体の湾曲に沿って摺動し、線状体の大きさを変えることができるような摺動機構にしてもよい。なお、線状体は金属又は合成樹脂により形成されるものであるとよい。また、保持部材は、第２の線状体であって、第１の連結部が線状体の一方の端に設けられ、耳のつけ根上部で第２の線状体の一方の端と連結し、第２の連結部が線状体の他端に設けられ、耳のつけ根下部で第２の線状体と連結し、線状体は耳輪から耳垂までの表外縁に沿う形状を有するものであり、第２の線状体は耳裏上方つけ根から耳裏下方つけ根までに沿う形状を有するものであり、線状体と第２の線状体とが耳を表と裏から挟持するようにしてもよい。さらに、基材の裏面の耳垂に対向する位置に複数のピアスピンが設けられるようにすることもできる。
【発明の効果】
【００１１】
以上のような構成により、本発明は次のような効果を奏する。
本発明は、耳輪に貼り付けるシート体が保持部により固定されるので、シート体が上側端部から剥がれることを抑制することができる。特にシート体において剥がれやすい上側の端部である前端部においてフックにより荷重を受けることで、シート体が上側端部から剥がれることを抑制することができる。
また、シート体に粘着層が設けられると共に、剥離シートを粘着層に貼り付けておくことで、使用に際して剥離シートを剥がして粘着層を表出させて耳にシート体を貼り付けることができ、使用時に粘着剤をシート体に塗る必要なく、また、剥離シートにより収納、運搬時は、粘着層が他のものに触れて引っ付くことがない。
さらに、シート体の湾曲した外縁や内縁に例えばＶ字状の切れ込みを設けることで、シート体の曲がり具合を切れ込みの角度を変えることで適宜調節することができ、多くの異なる形状の耳輪に柔軟にシート体を合わせて貼り付けることができる。
また、シート体の耳輪頂部に沿う位置近傍に耳輪に引っ掛ける補助フックを設けることで、耳輪に貼り付けたときに、シート体の最も高い位置に存する部分近傍が補助フックにより固定されるので、シート体が上側から剥がれることを、さらに抑制することができる。
シート体をエラストマーにより形成することで、シート体の曲がり具合を適宜調節することができるので、やはり、多くの異なる形状の耳輪に柔軟にシート体を合わせて貼り付けることができる。さらに、シート体を耳垂にまで至らせることで耳の外周縁部全体を装飾することができる。
またさらに、耳垂部分のシート体に複数の貫通孔を設けることで、ピアスホールの位置に合わせることができる貫通孔が選びやすくなり、ピアスとシート体とを併用できる確率を高めることができる。
また、基材にシート体のような柔らかい素材のみならず、板状体や線状体のような硬い素材を用いる場合は、耳の大きさや形の変化にも、摺動機構、種々の保持部材や連結部材の組み合わせで柔軟に対応でき、台座をしっかり耳に装着することができる。
【図面の簡単な説明】
【００１２】
【図１】（ａ）は実施形態に係る耳装飾用台座シートの斜視図であり、（ｂ）は耳装飾用台座シートの裏側から見た分解斜視図である。
【図２】実施形態に係る耳装飾用台座シートを装着した状態を示す斜視図である。
【図３】（ａ）は第一の変形例に係る耳装飾用台座シートの斜視図であり、（ｂ）は第二の変形例に係る耳装飾用台座シートの拡大斜視図である。
【図４】実施例２に係る耳装飾用台座シートの展開図である。
【図５】実施例３に係る耳装飾用台座シートの展開図である。
【図６】図５の実施例に係る耳装飾用台座シートを装着した状態を示す斜視図であり、（ａ）は左耳の表側に装着された状態を示し、（ｂ）は左耳の裏側に装着された状態を示す。
【図７】実施例４に係る耳装飾用台座基材の正面図である。
【図８】実施例４に係る変形例の耳装飾用台座基材の正面図である。
【図９】実施例４に係る耳装飾用台座機材の摺動機構を示す模式的な図である。
【図１０】実施例４に係る保持部材としてのピアスピンを示す拡大斜視図である。
【図１１】実施例５に係る耳装飾用台座基材の展開図である。
【図１２】実施例５に係る別の耳装飾用台座基材の展開図である。
【図１３】実施例６に係る耳装飾用台座基材の正面図である。
【図１４】実施例６に係る変形例の耳装飾用台座基材の正面図である。
【図１５】実施例６に係る別の変形例の耳装飾用台座基材を示す図である。
【図１６】実施例６に係る摺動機構を示す模式的な図である。
【発明を実施するための形態】
【００１３】
以下、本発明の実施の形態を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施の形態に限られるものではない。
【実施例１】
【００１４】
実施例１を図面を参照して詳細に説明する。【００１５】
図１（ａ）に本実施形態に係る耳装飾用台座シートＸ１の正面側からみた斜視図を示し、図１（ｂ）に耳装飾用台座シートＸ１の背面側からみた分解斜視図を示す。なお、耳装飾用台座シートＸ１は耳に固定したときに顔側を前方、後頭部側を後方とし、図１（ａ）においては左側が前方に該当する。また、ここで示すものは左耳用であるが、右耳用のものは対称に形成すればよいことはいうまでもない。耳装飾用台座シートＸ１は、シート体１０、保持部材であるフック２０、連結部２５、剥離シート３０を有する。【００１６】
シート体１０は、薄いシリコーンゴム性の透明なシート体からなり、耳輪の少なくとも一部に沿う湾曲形状を有し、耳輪に装着されるものである。図１の構成例では、耳の耳輪全体から耳垂の正面部分に貼り付けることができるように耳輪から耳垂に沿った形状、大きさに形成されている。なお、耳の大きさは人によって変わるので、耳装飾用台座シートＸ１はシート体１０の大きさが異なるものが複数種類用意される。また、シート体１０の耳輪に沿う湾曲した部分の内縁及び外縁には切れ込み１１が設けられている。切れ込み１１はＶ字状が好ましいが、Ｕ字状でも略矩形状でもよい。さらに、シート体１０の裏側の後述するフック２０に相対する面には、前面に渡って粘着層１２が形成されている。
このシート体１０は、耳の装飾品の装着を可能とする部材となる。装飾品は特に限定されず、例えば、シート体１０の表面に貴金属、宝石類、模造宝石類、ガラス製装飾品、プラスチック製装飾品など多様なものがあり得る。
フック２０は保持部材の構成例の一つであり、耳介または耳輪の裏面の少なくとも一部に装着されるものである。この構成例では、フック２０はシリコーンゴムにより形成され、耳介の裏側の耳の付け根近傍に引っ掛けることができるように、棒体をフック状に湾曲させたような形状を有する。フック２０の上方の端部は連結部２５を介してシート体１０の上方端部に一体に固定される。フック２０とシート体１０と連結部２５は成型時に一体に成型してもよく、接着剤で接着することで固定してもよい。
連結部２５は、シート体１０と保持部材であるフック２０との間を、シート体１０の上方前端部または耳輪の頂部に相当する位置近傍において連結する部材である。図１の構成の連結部であれば、連結部２５を介して、シート体１０および保持部材であるフック２０が各々装着された状態において、シート体１０の装着姿勢の変化を防止するテンションを保持部材であるフック２０からシート体１０に伝達することができる。この構成例では連結部２５はシート体１０の上方前端部に設けられており、シート体１０の上方前端部においてフック２０がシート体１０に連結されている。
剥離シート３０はシート体１０の平面形状と略同じ形状をした紙性のシートを耳垂に対応する部分３１と耳輪に対応する部分３２とに分断したものであり、シート体１０の粘着層１２に張り付けられるものである。剥離シート３０の粘着層１２に貼り付けられる側は剥離剤が塗布されており、粘着層１２に対して容易に剥がすことができるようになっている。【００１７】
次に、以上のような構成を有する耳装飾用台座シートＸ１の使用方法について説明する。使用者は、まず、フック２０を耳に掛け、この状態で剥離シート３０をシート体１０から剥がす。この際、シート体１０の粘着層１２が耳に着かないようにする。その後、シート体１０の上部前端側から耳輪に沿ってシート体１０を貼り付けていく。この際、シート体１０にはＶ字状の切れ込み１１が設けられ、また、シート体１０は伸縮性のあるシリコーンゴムにより形成されるので、耳輪の形状がシート体１０の形状と多少合致していなくても、適宜Ｖ字状の切れ込み１１の幅を変え、シート体１０を微少量伸縮させることで、シート体１０を貼り付けることができる。また、Ｖ字状の切れ込み１１があることによって、耳輪の正面から外側にはみ出した部分があっても、その部分を容易に耳輪の側周面側に折り曲げることができる。このようにして、シート体１０を耳輪から耳垂にかけて貼り付けが終了し図２に示すような状態となったら、シート体１０の表面にビーズや宝石、造花などの装飾物を接着剤により貼り付けて耳の装飾が完了する。
なお、ここでは先にシート体１０を耳に貼り付けてから装飾物をシート体１０に貼り付ける手順を説明したが、予めシート体１０に装飾物を貼り付けておき、この状態のシート体１０を耳に貼り付けるようにしてもよい。
図２の装着姿勢において、フック体２０が耳介の裏側に引っ掛かり連結部２５を介してシート体１０に連結しており、シート体１０の装着姿勢が安定するようにテンションがシート体１０に対して適切に印加されている。つまり、シート体１０および保持部材であるフック２０が各々耳に装着された状態において、シート体１０の装着姿勢の変化を防止するテンションをフック２０からシート体１０に伝達する役割を果たす。テンションは、シート体１０の装着姿勢に応じて様々な意味を持ち得る。例えば、耳輪から剥がれて落ちようとする力に対向して引き上げる力、シート体１０とフック体２０の挟み込みによりシート体１０を耳輪側に引き付ける挟持力などとなり得る。【００１８】
また、耳垂部分にピアスホールがあり、ピアスと本耳装飾用台座シートＸ１とを併用する場合、シート体１０は薄いのでピアスのピン部分を押し当てることで容易に穴を開けることができるので、耳装飾用台座シートＸ１を貼り付けた後に、耳垂部分のピアスホール部分にピアスのピンを上から押し当てて穴を開け、その後ピアスを固定するようにすればよい。さらに、穴を開ける作業がわずらわしい場合は、図３（ａ）に示す耳装飾用台座シートＸ２のように、シート体１０の耳垂部分に複数の貫通孔１３を設けておいてもよい。シート体１０はシリコーンゴムで形成されているので、貫通孔１３の位置は多少ずらすことが可能であり、いずれかの貫通孔１３がピアスホールに合致すればシート体１０に穴を新たに空けることなくピアスを耳に固定することができる。貫通孔１３の大きさは大きければピアスに合わせる範囲が広がる一方、装飾物を貼り付けるスペースが少なくなるので必要に応じて適宜決定すればよい。【００１９】
さらに、上記耳装飾用台座シートＸ１はフック２０を設けることで、シート体１０が耳輪上部から剥がれ難い構成となっているが、これをさらに強化するために、図３（ｂ）に部分拡大図を示す耳装飾用台座シートＸ３のように、シート体１０の最上部近傍に耳輪に引っ掛けるための補助フック４０を設けてもよい。補助フック４０はここではシリコーンゴムにより形成され、板体をフック状に曲げた形状を有するものでありシート体１０に一体に成型されるものである。もちろん、一体に成型されるものでなく、補助フック４０を接着によりシート体１０に接着してもよい。
そして、上記実施例１では、シート体１０に粘着層を予め設けていたが、シート体１０に粘着層を設けずに、貼り付ける前に接着剤をシート体１０に塗布してからシート体１０を耳に取り付けるようにしてもよい。
また、上記実施例１ではシート体１０をシリコーンゴムにより形成しているが天然ゴム、ウレタンやスチレン系のゲルシートのような他のエラストマーで形成してもよく、また、十分に薄い素材であれば伸縮性のあまりない合成樹脂シートや紙、不織布等を用いることもできる。
【実施例２】
【００２０】
次に実施例２を図面を参照して詳細に説明する。なお、実施例２において、実施例１と同様の機能を有する部分については、対応する符号を付する。【００２１】
図４を参照して説明する。図４は、実施例２に係る耳装飾用台座シートの展開図である。図４（ａ）に示すとおり、耳装飾用台座シートＸ４は、シート体１００、保持部材である第２のシート体２００、連結部２５０、第２の保持部材である第３のシート体３００を有する。第三の変形例に係る耳装飾用台座シートＸ４においては、シート体１００は耳の耳輪全体から耳垂の正面部分に、さらに第２のシート体２００は耳の耳輪全体から耳垂の背面部分にも貼り付けることができるように耳輪から耳垂の裏側に沿った形状、大きさに形成される。
この構成例では、連結部２５０は、シート体１００の上方前端部に設けられている。
図４（ａ）に示す耳装飾用台座シートＸ４の各パーツは正面にあたり、各背面は粘着層を設けていて、耳に装着されうる。また、第２のシート体２００がシート体１００に連結される前端部の連結部２５０の部分に点線Ａが示されており、点線Ａで第２のシート体２００を山折りに折り曲げることができる。【００２２】
ここで、実施例２に係る耳装飾用台座シートＸ４の使用方法について説明する。まず、第２のシート体２００を点線Aで山折り方向に折り曲げ、第２のシート体２００を耳の裏側に剥離シート２３０を剥がして耳輪に沿って貼り付ける。次に、シート体１００を耳の表側に剥離シート１３０を剥がして耳輪に沿って貼り付ける。最後に、シート体１００の頂端近傍に配置された第３のシート体３００を耳輪に引っ掛けるように折り曲げて、第２のシート体２００に貼り付ける。
【実施例３】
【００２３】
次に実施例３を図面を参照して詳細に説明する。なお、実施例３において、実施例１及び２と同様の機能を有する部分については、対応する符号を付する。【００２４】
図５を参照して説明する。図５は実施例３の変形例に係る耳装飾用台座シートの展開図である。図５に示すとおり、耳装飾用台座シートＸ５は、シート体１０１、連結部２５１、保持部材である第２のシート体２０１を有する。図５に示す耳装飾用台座シートＸ５の各パーツは正面にあたり、各背面は粘着層を設けていて、耳に装着されうる。
この構成例では、連結部２５１は、シート体１０１の耳輪の頂部に相当する位置近傍に設けられている。
図６は、図５の実施例に係る耳装飾用台座シートＸ５を装着した状態を示す斜視図であり、（ａ）は左耳の表側に装着された状態を示し、（ｂ）は左耳の裏側に装着された状態を示す。図６に示すとおり、耳装飾用台座シートＸ５においても、シート体１０１は耳の耳輪全体から耳垂の正面部分に、さらに第２のシート体２０１は耳の耳輪全体から耳垂の背面部分にも貼り付けることができるように耳輪から耳垂の裏側に沿った形状、大きさに形成される。なお、図５及び図６に示すとおり、耳装飾用台座シートＸ５は、シート体１０１と第２のシート体２０１とを架橋する連結部２５１を備え、シート体１０１及び第２のシート体２０１が耳から外れないようになっている。シート体１０１と第２のシート体２０１と連結部２５１は成型時に一体に成型してもよく、接着剤で接着することで固定してもよい。【００２５】
ここで、耳装飾用台座シートＸ５の使用方法について説明する。まず、第２のシート体２０１を連結部２５１において山折り方向に折り曲げ、剥離シート２３１を剥がして耳の背面に耳輪に沿って貼り付ける。次に、連結部２５１が耳の頂端で耳に引っかかるようシート体１０１を剥離シート１３１を剥がして耳の正面に耳輪に沿って貼り付ける。
【実施例４】
【００２６】
次に実施例４を図面を参照して詳細に説明する。なお、実施例４において、実施例１、２及び３と同様の機能を有する部分については、対応する符号を付する。【００２７】
図７を参照して説明する。図７は、実施例４に係る耳装飾用台座Ｙ１の展開図である。図７に示すとおり、耳装飾用台座Ｙ１は、耳輪に沿う湾曲した部分で上下２枚に分断された板状体４００ａ、４００ｂで構成される板状体４００、保持部材としてのフック４２０、連結部４５０を有する。板状体４００は、金属又は合成樹脂からなり、耳輪の少なくとも一部に沿う湾曲形状を有し、耳輪に装着されるものである。図７の構成例では、耳の耳輪全体から耳垂の正面部分に貼り付けることができるように耳輪から耳垂に沿った形状、大きさに形成されている。なお、耳の大きさは人によって変わるので、耳装飾用台座Ｙは板状体４００の大きさが異なるものが複数種類用意される。実施例１、２及び３と同様に、この板状体４００は、耳の装飾品の装着を可能とする部材となる。装飾品は特に限定されず、例えば、板状体４００の表面に貴金属、宝石類、模造宝石類、ガラス製装飾品、プラスチック製装飾品など多様なものがあり得る。【００２８】
図７に示すフック４２０及び連結部４５０については、前述した実施例１の構成とほぼ同一であるので、ここでは省略する。【００２９】
実施例１に示した耳装飾用台座シートＸ１に係る樹脂シート１０が耳輪に貼り付けられるが、実施例４に係る耳装飾用台座Ｙ１に係る板状体４００は耳輪に貼り付けられることはない。したがって、耳装飾用台座Ｙは耳に装着される際、耳の所定の２箇所で保持されることになる。図７に示すように、耳垂部分にピアスホールがあり、ピアスと本耳装飾用台座Ｙ１とを併用する場合、耳装飾用台座Ｙ１は、耳の付け根のフック４２０とピアスの貫通により保持される。後述するとおり、板状体４００は、２枚の板状体４００ａ、４００ｂのいずれかにガイド４６０、他方に摺動部４６１を備え、摺動部４６１が摺動することで耳の大きさに整合できる。貫通孔４１３の大きさは大きければピアスに合わせる範囲が広がる一方、装飾物を貼り付けるスペースが少なくなるので必要に応じて適宜決定すればよい。【００３０】
図８を参照する。図８は、実施例４の変形形態に係る本耳装飾用台座Ｙ２、Ｙ３を示している。図８（ａ）に示すように、図７と同様に、耳垂部分にピアスホールがあり、ピアスと本耳装飾用台座Ｙ２とを併用する場合、耳装飾用台座Ｙ２は、耳の付け根近傍の保持部材４２１とピアスの貫通により保持される。本耳装飾用台座Ｙ２は、図７に示したフック４２０の代替手段として、保持部材４２１を備える。保持部材４２１は、例えばイヤリングのクリップ式の挟持部材であって、対向する二片の板状体の間隙が可変的に設けられ、耳に装着する際に、該間隙が縮小させるものが用いられてよい。また、貫通孔４１３の代替手段として、上述のクリップ式の挟持部材を保持部材４２２として用いることができる。図８（ｂ）に示すとおり、ピアスを用いない場合、耳装飾用台座Ｙ３は、耳の付け根近傍の保持部材４２１と耳垂への保持部材４２２により保持される。クリップ式にかかわらず、耳輪の両面から螺入圧着するスクリュー式や、バネ式の挟持部材を用いてもよい。【００３１】
図９を参照しながら、摺動機構について、説明する。図９（ａ）は、実施例４に係る耳装飾用台座機材の摺動機構を示す模式的な図であり、図９（ｂ）は、（ａ）中のイに示す円内の構造を透視した様子を示す図である。板状体４００ａの側端は各々裏側に曲折されて環状の摺動筒状のガイド４６０を形成している。他方、板状体４００ｂの上端は、板状体４００ａの摺動筒４６０に対向しかつ挿通できる摺動部４６１を設けている。この機構により、板状体４００ａと板状体４００ｂは互いに摺動して、耳の大きさや形状に整合させることができる。【００３２】
図１０を参照する。図１０は、実施例４に係る保持部材としてのピアスピン４１４を示す拡大斜視図である。【００３３】
図１０に示すとおり、板状体４００ｂは、耳垂に対向する裏面の位置に複数のピアスピン４１４を備える。ピアスピン４１４は、ピアスホール４１３に代わるものであり、ピアスと本耳装飾用台座Ｙ１とを併用する場合、耳装飾用台座Ｙ１を耳に装着した後に、複数のピアスピンのうち、耳垂自身のピアスホール部分に適合する１本のピアスピンを選択し、他のピアスピンはハサミ等で根元から切除し、その後該ピアスピンを耳垂のピアスホールに固定すればよい。板状体４００ｂは、摺動機構を介して板状体４００ａと摺動するので、ピアスピン４１４の位置は多少ずらすことが可能であり、いずれかのピアスピン４１４が耳垂のピアスホールに合致すれば、ピアスピン４１４を該ピアスホールに挿通し、耳裏でピアスピン４１４をピアス用キャッチで受けて本耳装飾用台座Ｙ１を耳に固定することができる。
【実施例５】
【００３４】
次に実施例５を図面を参照して詳細に説明する。なお、実施例５において、実施例１、２、３及び４と同様の機能を有する部分については、対応する符号を付する。【００３５】
図１１及び１２を参照して説明する。図１１及び１２は、実施例５に係る耳装飾用台座の変形形態の展開図である。【００３６】
図１１に示すとおり、耳装飾用台座Ｙ４の基材は、図４に示す形状に類似する板状体である。耳装飾用台座Ｙ４は、板状体４１０、保持部材である第２の板状体４１１、連結部４５１、第２の保持部材４２１、第２の連結部４５２を有する。本耳装飾用台座Ｙ４は、図７に示したフック４２０の代替手段として、保持部材である第２の板状体４１１を備える。耳装飾用台座Ｙ４においては、板状体４１０は耳の耳輪全体から耳垂の正面部分に、さらに第２の板状体４１１は耳の耳輪全体から耳垂の背面部分に装着できるように耳輪から耳垂の裏側に沿った形状、大きさに形成される。この構成例では、連結部４５２は、板状体４１０の耳のつけ根上方から頂部にかけての所望の位置にクリップ式の挟持部材を用いて設けられている。連結部４５２はクリップ式の他、スクリュー式又はバネ式の挟持部材を用いて構成することもできる。図１０に示す耳装飾用台座Ｙ４の各パーツは正面にあたり、各背面は耳に当接されうる。また、第２の板状体４１１が板状体４１０に連結される連結部４５１で山折りに折り曲げることができる。【００３７】
耳装飾用台座Ｙ４の使用方法について説明する。まず、第２の板状体４１１を連結部４５１で山折り方向に折り曲げ、第２の板状体４１１を耳の裏側に耳輪に沿って引っ掛ける。次に、板状体４１０を耳の表側に耳輪に沿って装着する。最後に、板状体４１０の頂端近傍に配置された保持部材４２１を耳輪に引っ掛けるように折り曲げて耳に装着する。【００３８】
図１２に示すとおり、耳装飾用台座Ｙ５の基材は、図５に示す形状に類似する板状体である。耳装飾用台座Ｙ５は、板状体４１０、連結部４５３、保持部材である第２の板状体４１２を有する。図１２に示す耳装飾用台座Ｙ５の各パーツは正面にあたり、耳に装着されうる。この構成例では、連結部４５３は、板状体４１０の耳輪の頂部に相当する位置近傍にクリップ式の挟持部材を用いて設けられている。連結部４５３はクリップ式の他、スクリュー式又はバネ式の挟持部材を用いて構成することもできる。ここで、耳装飾用台座Ｙ５の使用方法について説明する。まず、第２の板状体４１２を連結部４５３において山折り方向に折り曲げ、耳の背面に耳輪に沿って引っ掛けるように装着する。次に、連結部４５３が耳の頂端で耳に引っかかるよう耳の正面に耳輪に沿って装着する。
【実施例６】
【００３９】
次に実施例６を図面を参照して詳細に説明する。なお、実施例６において、実施例１、２、３、４及び５と同様の機能を有する部分については、対応する符号を付する。【００４０】
図１３を参照して説明する。図１３は、実施例６に係る耳装飾用台座Ｚ１の展開図である。【００４１】
図１３に示すとおり、耳装飾用台座Ｚ１は、耳輪に沿う湾曲した部分で上下２本に分断された線状体５００ａ、５００ｂで構成される線状体５００、保持部材としてのフック５２０、連結部５５０を有する。線状体５００は、金属又は合成樹脂からなり、耳輪の少なくとも一部に沿う湾曲形状を有し、耳輪に装着されるものである。なお、線状体５００は、可撓性のある部材であれば好適である。図１０の構成例では、耳の耳輪全体から耳垂の正面部分に貼り付けることができるように耳輪から耳垂に沿った形状、大きさに形成されている。なお、耳の大きさは人によって変わるので、耳装飾用台座Ｚ１は線状体５００の大きさが異なるものが複数種類用意される。実施例１、２及び３と同様に、この線状体５００は、耳の装飾品の装着を可能とする部材となる。装飾品は特に限定されず、例えば、線状体５００の表面に貴金属、宝石類、模造宝石類、ガラス製装飾品、プラスチック製装飾品など多様なものがあり得る。【００４２】
図１３に示すフック５２０及び連結部５５０についても、前述した実施例１の構成とほぼ同一であるので、ここでは省略する。【００４３】
実施例４と同様に、実施例６に係る耳装飾用台座Ｚ１に係る線状体５００は耳輪に貼り付けられることはない。したがって、耳装飾用台座Ｙは耳に装着される際、耳の所定の２箇所で保持されることになる。図１３に示すように、耳垂部分にピアスホールがあり、ピアスと本耳装飾用台座Ｚ１とを併用する場合、耳装飾用台座Ｚ１は、耳の付け根のフック４２０とピアスの貫通により保持される。線状体５００は、後述する摺動機構により耳の大きさに整合できる。貫通孔４１３の大きさは大きければピアスに合わせる範囲が広がる一方、装飾物を貼り付けるスペースが少なくなるので必要に応じて適宜決定すればよい。【００４４】
図には示していないが、図１０のように、図１３に係る線状体５００ｂは、耳垂に対向する裏面の位置に複数のピアスピン５１４を備えてもよい。ピアスピン５１４は、ピアスホール５１３に代わるものであり、ピアスと本耳装飾用台座Ｚ１とを併用する場合、耳装飾用台座Ｚ１を耳に装着した後に、複数のピアスピンのうち、耳垂自身のピアスホール部分に適合する１本のピアスピンを選択し、他のピアスピンはハサミ等で根元から切除し、その後該ピアスピンを耳垂のピアスホールに固定すればよい。線状体５００ｂは、後述の摺動機構を介して線状体５００ａと摺動するので、ピアスピン５１４の位置は多少ずらすことが可能であり、いずれかのピアスピン５１４が耳垂のピアスホールに合致すれば、ピアスピン５１４を該ピアスホールに挿通し、耳裏でピアスピン５１４をピアス用キャッチで受けて本耳装飾用台座Ｙ１を耳に固定することができる。【００４５】
図１４を参照する。図１４は、実施例６の変形形態に係る本耳装飾用台座Ｚ２、Ｚ３を示している。図１４（ａ）に示すように、図１３と同様に、耳垂部分にピアスホールがあり、ピアスと本耳装飾用台座Ｚ２とを併用する場合、耳装飾用台座Ｚ２は、耳の付け根近傍の保持部材５２１とピアスの貫通により保持される。本耳装飾用台座Ｚ２に係る線状体５１０は、図１３に示したフック５２０の代替手段として、保持部材５２１を備える。保持部材５２１は、例えばイヤリングのクリップ式の挟持部材であって、対向する二片の線状体の間隙が可変的に設けられ、耳に装着する際に、該間隙が縮小させるものが用いられてよい。また、貫通孔５１３の代替手段として、上述のクリップ式の挟持部材を保持部材５２２として用いることができる。図１４（ｂ）に示すとおり、ピアスを用いない場合、耳装飾用台座Ｚ３は、耳の付け根近傍の保持部材５２１と耳垂への保持部材５２２により保持される。クリップ式にかかわらず、耳輪の両面から螺入圧着するスクリュー式や、バネ式の挟持部材を用いてもよい。【００４６】
図１５を参照する。図１５は、実施例６に係る別の変形例の耳装飾用台座Ｚ４を示す図である。図１５（ａ）及び（ｂ）に示すように、耳装飾用台座Ｚ４は、線状体５００と、保持部材としての第２の線状体５０３とを備え、第１の連結部５５３が線状体５００の一方の端に設けられ、耳のつけ根上部で第２の線状体５０３の一方の端と連結し、第２の連結部５５４が線状体５００の他端に設けられ、耳のつけ根下部で第２の線状体５０３と連結している。線状体５００は耳輪Ｈから耳垂Ｌまでの表外縁に沿う形状を有し、第２の線状体５０３は耳裏上方つけ根から耳裏下方つけ根までに沿う形状を有している。なお、図１５（ｂ）において、耳装飾用台座Ｚ４は耳に装着されている状態を示すが、線状体５００は実線斜線で、第２の線状体５０３は破線斜線で示している。このように、耳装飾用台座Ｚ４は、線状体５００と第２の線状体５０３とが耳を表と裏から挟持することで、耳に固定保持される。連結部５５３、５５４は、クリップ式の挟持部材のほか、スクリュー式やバネ式の挟持部材も用いることができる。【００４７】
図１６を参照する。図１６は、実施例６に係る耳装飾用台座Ｚ１の摺動機構を摸式的に示す図である。図１６（ａ）及び（ｂ）に示すとおり、線状体５００において、一方の線状体５００ａの先端は曲折して線状体の径よりもやや大きな径の略Ｏ形状部を形成し、他方の線状体５００ｂを挿通する。線状体５００ｂの先端は曲折して略Ｃ形状部を形成し、線状体５００ａの周縁を把持する。これにより、線状体５００ｂは線状体５００ａの湾曲に沿って摺動し、線状体５００を伸縮可能にし、耳の大きさや形状に整合させることができる。なお、摺動機構は、一方の線状体が他方の線状体に螺嵌するような機構であってもよい。【００４８】
以上、本発明の耳装飾用台座基材の構成例における好ましい実施形態を図示して説明してきたが、本発明の技術的範囲を逸脱することなく種々の変更が可能であることは理解されるであろう。
【産業上の利用可能性】
【００４９】
本発明の耳装飾用台座基材は、耳飾そのものとして適用することができ、特に台座に色彩を施したりビーズ等を台座基材に装着したりする等して、ファッション性を高める装飾具として広く適用することができる。
【符号の説明】
【００５０】
Ｘ１、Ｘ２、Ｘ３、Ｘ４、Ｘ５        耳装飾用台座シート
Ｙ１、Ｙ２、Ｙ３、Ｙ４        耳装飾用台座
Ｚ１、Ｚ２、Ｚ３、Ｚ４        耳装飾用台座
１０、１００、１０１        シート体
２００、２０１        第２のシート体
３００        第３のシート体
４００、４００ａ、４００ｂ、４１０        板状体
４１１、４１２        第２の板状体
５００、５００ａ、５００ｂ        線状体
５０３        第２の線状体
１１        切り欠き
１２        粘着層
１３、４１３，５１３        貫通孔
２０、４２０、５２０        フック
２５、２５０、２５１        連結部
４５０、４５１、４５２、４５３        連結部
５５０、５５１、５５２、５５３、５５４      連結部
３０、１３０、２３０、１３１、２３１        剥離シート
４０        補助フック
４１４、５１４        ピアスピン
４６０        ガイド
４６１        摺動部
【図１】
0006031706.tif 000002
【図２】
0006031706.tif 000003
【図３】
0006031706.tif 000004
【図４】
0006031706.tif 000005
【図５】
0006031706.tif 000006
【図６】
0006031706.tif 000007
【図７】
0006031706.tif 000008
【図８】
0006031706.tif 000009
【図９】
0006031706.tif 000010
【図１０】
0006031706.tif 000011
【図１１】
0006031706.tif 000012
【図１２】
0006031706.tif 000013
【図１３】
0006031706.tif 000014
【図１４】
0006031706.tif 000015
【図１５】
0006031706.tif 000016
【図１６】
0006031706.tif 000017